(57)【要約】【課題】  本発明の課題は、保護カバーを強度向上すると共に保護カバーから発生する振動、騒音を軽減する切断機の保護カバー装置を提供することである。【解決手段】    保護カバーを丸鋸部の外側を回動自在に支持し、材質の異なる部材を重ね合わせた２重構造で構成し、また、２重構造で構成された保護カバーの外側カバー適所に複数の開口部を設け、または外側カバーを透明色にする。【選択図】  図１
2005199613.tif 000002
【特許請求の範囲】
【請求項１】
被切断材を載置可能なベース部と、切断刃を回転可能に支持する切断部と、前記切断部を前記切断刃の軸方向とほぼ平行な揺動軸を支点として揺動可能に支持する支持部材と、前記切断部に回動可能に設けられ、一部の前記切断刃外周を覆う保護カバーとを有する卓上切断機において、前記保護カバーを固有振動数の異なる２つの部材を重ね合わせた２重構造としたことを特徴とする卓上切断機。
【請求項２】
前記保護カバーは、前記切断部外周に設けられ、前記切断部が前記ベースから離間した揺動位置にある際に前記切断部から突出する前記切断刃の外周を覆い、前記切断部が前記ベース側に向けて揺動するに従って前記切断部から突出する前記切断刃を露出させるように動作させるリンクと連結されていることを特徴とする請求項１記載の卓上切断機。
【請求項３】
前記保護カバーの外側カバーは少なくとも１つの開口部を有することを特徴とする請求項１あるいは請求項２記載の卓上切断機。
【請求項４】
前記保護カバーの内側カバーは透明性を有する部材により形成され、外側カバーは弾力性を有する部材により形成されていることを特徴とする請求項１〜請求項３のいずれか１項記載の卓上切断機。
【発明の詳細な説明】
【技術分野】
【０００１】
本発明は、切断刃を覆う保護カバーを備えた卓上切断機に関するものである。
【背景技術】
【０００２】
従来の卓上切断機の一例である特許文献１には、被切断材を載置可能なベースと、切断刃を回転可能に支持する切断部と、切断部を前記切断刃の軸方向とほぼ平行な揺動軸を支点として揺動可能に支持する支持部材と、切断部に回動可能に設けられ、一部の切断刃外周を覆う保護カバーとを有する構成が開示されている。
【０００３】
従来の保護カバーは厚さ３ｍｍ程度の樹脂製の単一材料で成形されたものであった。
【０００４】
【特許文献１】特開昭６３−１６９２１７号
【発明の開示】
【発明が解決しようとする課題】
【０００５】
上記した従来の保護カバーでは樹脂製の単一材料、１枚板で構成されているため、切断時に発生するモータ等の振動や切粉の衝突により発生する振動が全体的に伝わり、騒音が発生する欠点があった。また、保護カバーの一部が切断部本体や被切断材等に当たった際も同様に振動、騒音が発生するものであった。
【０００６】
本発明の目的は、上記した従来技術の欠点を解消し、保護カバーの強度向上を図ると共に保護カバーの振動、騒音を軽減する卓上切断機を提供することである。
【課題を解決するための手段】
【０００７】
上記目的は、保護カバーを固有振動数の異なる２つの部材を重ね合わせた２重構造とすることにより達成される。
【発明の効果】
【０００８】
本発明によれば、保護カバーを固有振動数の異なる２つの部材を重ね合わせた２重構造としたことで、一方の保護カバーに加わった振動力が他方の保護カバーとの当接によって減衰されることとなり、保護カバーの強度向上を図ると共に保護カバーの振動、騒音を軽減する卓上切断機を提供することができるようになる。
【発明を実施するための最良の形態】
【０００９】
本発明卓上切断機の一実施形態を図１〜図７を用いて以下説明する。図１は切断機の全体側面図、図２は部分ＢＢ背面図、図３は部分正面図、図４は図１のＡ−Ａ線部分断面図、図５は図１の状態から切断刃物本体を押し下げた切断機の全体側面図、図６は内部保護カバー、及び外部保護カバーを正面側から見た斜視図、図７は内部保護カバー、及び外部保護カバーを後面側から見た斜視図である。
【００１０】
図において、ベース１の中央にターンテーブル２を水平方向へ回動自在に埋設し、ターンテーブル２の上面は、ベース１の上面と同一面になっている。ベース１及びターンテーブル２の上面には木材等の切断材料４１が載置されている。なお、本発明においては切断材料４１が載置される部材（本実施形態においてはベース１とターンテーブル２）を総称してベース部という。ベース１上面に切断材料４１の側面を支持するフェンス３を固定している。ターンテーブル２後端にはホルダシャフト４を介して支持部材であるホルダ５を立設し、ホルダシャフト４の軸心は、ターンテーブル２上面とほぼ一致するように位置されることで、ホルダ５はホルダシャフト４を支点にターンテーブル２の上面を中心に傾斜自在に軸支されている。
【００１１】
図２に示すように、ホルダ５の後部からはホルダシャフト４を中心とする長穴５ａが形成され、長穴５ａにクランプレバー６を貫通させ、クランプレバー６の先端に形成したねじ部がターンテーブル２背面に形成したねじ穴部にねじ嵌合している。クランプレバー６を緩めると、ホルダ５はホルダシャフト４を支点に長穴５ａの範囲内で傾斜し、クランプレバー６を締め付けると、ホルダ５はターンテーブル２とクランプレバー６間に締め付けられ、任意位置で固定される。なお、長穴５ａはホルダ５が左右４５度の範囲で傾斜できるように形成されている。
【００１２】
ホルダ５上方にはシャフト７を介してベース１上面に対し上下揺動自在に切断部８を軸支している。ホルダ５と切断刃物本体８の間には切断部８を上方に付勢するスプリング９が設けられている。
【００１３】
切断部８は切断刃物軸１６、丸鋸などの切断刃物１０、切断刃物１０の上半分を覆うブレードケース１２、切断刃物１０を回転駆動するモートル１３、モートル１３のハウジング１５に取り付けられたハンドル２６で構成されている。
【００１４】
図４に示すように、ブレードケース１２の下方には水平方向に切断刃物軸１６を設け、切断刃物軸１６は軸受１７、１８で回転自在に支持され、この切断刃物軸１６の一端にボルト１９で切断刃物１０を固定している。
【００１５】
ホルダ５の前面にはＶ字状の突起部５ｂが設けられ、ターンテーブル２上面後方には突起部５ｂの移動軌跡上に位置するようにストッパボルト２４、２５が直角方向にねじ嵌合している。ホルダ５を傾斜させると、所定の傾斜角度で突起部５ｂがストッパボルト２４またはストッパボルト２５の頭部に係合し、切断部８の傾斜位置を設定する。通常、ストッパボルト２４、２５はホルダ５が左右方向に４５度の位置に傾斜したときに突起部５ｂに係合するように設けられている。
【００１６】
図４において、ブレードケース１２の下方開口部を覆う内部保護カバー３０がブレードケース１２にねじ３１で取付けられた取付けプレート３２の突起部外周３２ａに内部保護カバー３０の穴部３０ａが回転自在に嵌合している。内部保護カバー３０の反取付けプレート３２側にカバー３３を内部保護カバー３０に回転固定された状態で設け、カバー３３、取付けプレート３２中央の穴３３ａ、３２ｂに段付ねじ３４を貫通し、ナット３５で内部保護カバー３０が取付けプレート３２の突起部外周３２ａを案内にして回転自在に固定する。内部保護カバー３０の凹部溝３０ｂ内には一端が取付けプレート３２に、もう一端が内部保護カバー３０に支持され、図１の矢印Ｂ方向に付勢するうず巻き状のリターンスプリング３６が設けられている。内部保護カバー３０の外側には側面及び外周に開口部を有する外部保護カバー３７が内部保護カバー３０を覆うように設けられ、内部保護カバー３０に設けられた複数の凸部３０ｃに外部保護カバー３７の穴３７ａをはめ込み固定する。
【００１７】
内部保護カバー３０及び外部保護カバー３７に段付きねじ３８をリンク３９がリンク３９の長溝３９ａ内を移動自在に取付け、一方リンク３９の他端は段付ねじ４０により回転自在にホルダ５の適所に取付けられている。
【００１８】
内部保護カバー３０の材質はポリカーボネートのように剛性のある材質とし、外部保護カバー３７はポリプロピレンのように伸びのある材質となっている。
【００１９】
また、内部保護カバー３０は透明な樹脂材で成形されており、外部保護カバー３７には図６、図７のように側面、及び外周面に複数の開口部３７ｂがあり、内部保護カバー３０及び外部保護カバー３７が切断刃物１０を覆っている状態でも内部の状況が見えるようになっている。更に、外部保護カバー３７を透明な樹脂材で成形すると、前記外部保護カバー３７に側面、及び外周面に複数の開口部３７ｂがある状態よりも更に内部の状況が良く見えるようになる。
【００２０】
上記構成においてハンドル２６を持って切断部８を押し下げると、図５のように、段付ねじ３８、４０間でリンク３９が突っ張り、内部保護カバー３０及び外部保護カバー３７が取付けプレート３２の突起部外周３２ａを中心に回転し、切断刃物１０が突き出し、切断できるようになる。切断後、切断部８を上方へ戻すと内部保護カバー３０及び外部保護カバー３７を矢印Ｂ方向に付勢するリターンスプリング３６のスプリング力により内部保護カバー３０及び外部保護カバー３７を矢印Ｂ方向に回転させ、再び図１のように切断刃物１０を覆うことができる。
【００２１】
上記したように保護カバーを固有振動数の異なる２つの部材３０、３７を重ね合わせた２重構造としたので、切断時に発生するモータ等の振動、切粉の衝突により発生する振動、保護カバーの一部が切断部本体や被切断材等に当たった際に発生する振動を減衰することができるようになり、騒音の発生を低減することができるようになる。
【００２２】
また、外側保護カバー３７に複数の開口部３７ｂを設けた構成とすることによって、軽量化を図りつつ保護カバーの強度向上を図ることができると共に、切断刃物１０の視認性の低下を抑制することができる。
【図面の簡単な説明】
【００２３】
【図１】本発明卓上切断機の一実施形態を示す切断機本体の正面図。
【図２】本発明卓上切断機の一実施形態を示す部分ＢＢ背面図
【図３】本発明卓上切断機の一実施形態を示す部分正面。
【図４】図１のＡ−Ａ線部分断面図。
【図５】本発明卓上切断機の一実施形態を示す切断機本体の正面図。
【図６】本発明卓上切断機を構成する内部保護カバー、及び外部保護カバーの一実施形態を示す分解斜視図。
【図７】本発明卓上切断機を構成する内部保護カバー、及び外部保護カバーの一実施形態を示す分解斜視図。
【符号の説明】
【００２４】
５はホルダ、８は切断刃物本体、１０は切断刃物、１２はブレードケース、３０は内部保護カバー、３２は取付けプレート、３３はカバー、３４は段付ねじ、３５はナット、３６はリターンスプリング、３７は外部保護カバー、３８は段付ねじ、３９はリンク、４０は段付ねじである。
【図１】
2005199613.tif 000003
【図２】
2005199613.tif 000004
【図３】
2005199613.tif 000005
【図４】
2005199613.tif 000006
【図５】
2005199613.tif 000007
【図６】
2005199613.tif 000008
【図７】
2005199613.tif 000009